(57)【要約】【課題】  不要なイベントデータが表示されることなく、また、必要に応じてモニタデータが表示出来る遠隔監視システム、監視サーバおよび監視制御方法を提供する。【解決手段】  本発明の遠隔監視システムでは、サーバ１におけるリモート装置２（＃１〜＃Ｎ）の監視モードをそれぞれ「実行モード」と「休止モード」のいずれかに設定して、休止モードに設定されたリモート装置２のイベントデータの表示更新を行わない様にすることにより不要な表示を防ぎ、必要なモニタデータが表示出来る。【選択図】  図４
2006313449.tif 000002
【特許請求の範囲】
【請求項１】
サーバがネットワークを介して複数のリモート装置毎の動作モードの状態を通知するイベントデータと前記リモート装置毎の所定の監視項目のモニタデータの少なくともいずれか１つを含む監視データを監視してディスプレイに表示する遠隔監視システムであって、
前記サーバは、
前記リモート装置毎に監視モードを設定するコマンドと前記監視データの表示条件を設定するコマンドを入力する入力手段と、
前記ネットワークを介して前記各リモート装置から受信する前記イベントデータと前記モニタデータとを記憶する記憶手段と、
前記監視モードが実行モードに設定された前記リモート装置については、所定の手順で前記記憶された前記イベントデータと前記モニタデータとを前記記憶手段から読み出して前記ディスプレイに表示すると共に、前記イベントデータを受信するか、または前記モニタデータに異常を検出した時にはアラームを通知し、
前記監視モードが休止モードに設定された前記リモート装置については、当該リモート装置から前記イベントデータを受信したか、または前記モニタデータに異常を検出した場合はアラームを通知し、当該アラームの通知時の最初に受信した前記イベントデータと前記モニタデータのみを前記ディスプレイに表示し、それ以降の前記イベントデータと前記モニタデータを前記記憶手段から読み出し更新して前記ディスプレイに表示することを休止することと、アラームを通知することとを休止する表示制御手段とを備える
ことを特徴とする遠隔監視システム。
【請求項２】
前記表示制御手段は、前記監視モードが準休止モードに設定されたリモート装置について、当該リモート装置から前記イベントデータを受信するか、または前記モニタデータに異常を検出した時にはアラームを通知し、アラーム通知時に受信した前記イベントデータと前記モニタデータを前記ディスプレイに表示し、それ以降は、前記イベントデータを前記記憶手段から読み出し更新して前記ディスプレイに表示することとアラームを通知することとを休止する
ことを特徴とする請求項１記載の遠隔監視システム。
【請求項３】
前記表示制御手段は、
前記リモート装置の前記監視モードが前記休止モードに設定された場合、内蔵するタイマを参照して所定の時間が経過すると自動的に当該リモート装置の監視モードを前記実行モードに復帰させることを特徴とする請求項１記載の遠隔監視システム。
【請求項４】
前記リモート装置の前記動作モードは、
前記イベントデータとして送信される自装置が動作中のオペレーションモードと、調整や準備に係わる非動作中のスタンバイモードとを含み、
前記リモート装置は、自装置が備える入力手段から自装置を前記スタンバイモードから前記オペレーションモードに設定する入力が行われた場合、オペレーションモードであるイベントデータを送信するのに先だってスタンバイ解除のイベントデータを送信し、前記サーバの前記表示制御手段は、
前記リモート装置が前記休止モードに設定された場合、前記記憶手段から読み出して監視している当該リモート装置から受信する前記イベントデータが前記スタンバイ解除であることを判読すると前記実行モードに復帰させることを特徴とする請求項１記載の遠隔監視システム。
【請求項５】
前記リモート装置は、自装置が備える入力手段から自装置を前記スタンバイモードから前記オペレーションモードに設定する入力が行われた場合、イベントデータとしてスタンバイ解除を前記サーバに送信し、
前記サーバから前記スタンバイ解除の情報を受信したことを通知する応答を受信してからオペレーションモードに復帰し、イベントデータとしてオペレーションモードを前記サーバに送信することを特徴とする請求項１記載の遠隔監視システム。
【請求項６】
前記表示制御手段は、
前記イベントデータと前記モニタデータとのそれぞれが前記リモート装置毎に対応して並べられたテーブルの形式で表示されるイベント画面とモニタデータ画面とにして前記ディスプレイに表示する事を特徴とする請求項１または２に記載の遠隔監視システム。
【請求項７】
前記イベント画面と前記モニタデータ画面との２つの画面が同一画面に並べられたデュアルモードで表示されることを特徴とする請求項６記載の遠隔監視システム。
【請求項８】
前記イベント画面のみが表示されるイベントモードと、前記モニタデータ画面のみが表示されるモニタデータモードと、前記イベントモードと前記デュアルモードとが切り替えられて前記ディスプレイに表示されることを特徴とする請求項６記載の遠隔監視システム。
【請求項９】
前記休止モードに設定された前記リモート装置の番号が前記表示されるテーブルの周辺に記載されることを特徴とする請求項６〜８のいずれか１項記載の遠隔監視システム。
【請求項１０】
前記リモート装置の前記動作モードは、
自装置が動作中のオペレーションモードと、調整や準備に係わる非動作中のスタンバイモードとを含み、
前記リモート装置が備える入力手段から前記一方の動作モードから他方の動作モードに設定を変更する入力がされた時、前記前記他方の動作モードを前記イベントデータとして前記サーバに送信し、
前記イベントデータを受信した前記サーバの前記表示制御手段は、
前記オペレーションモードであることを受信した場合、前記リモート装置の番号を第１の色表示にし、
前記スタンバイモードであることを受信した場合、第２の色表示にすることを特徴とする請求項９記載の遠隔監視システム。
【請求項１１】
前記リモート装置の前記動作モードは、
自装置が動作中のオペレーションモードと、調整や準備に係わる非動作中のスタンバイモードとを含み、前記第１の入力手段から前記一方の動作モードから他方の動作モードに設定された時、設定された状態を前記イベントデータとして前記サーバに送信し、
前記イベントデータを受信した前記サーバの前記表示制御手段は、
前記オペレーションモードであることを受信した場合、前記テーブルの当該リモート装置に対応する行または列を第１の色表示にし、前記スタンバイモードであることを受信した場合、第２の色表示にすることを特徴とする請求項９に記載の遠隔監視システム。
【請求項１２】
前記サーバの表示手段は、
前記リモート装置が前記休止モード、または前記準休止モードに設定された場合、前記テーブルの当該リモート装置に対応する行または列を第３の色表示にすることを特徴とする請求項９に記載の遠隔監視システム。
【請求項１３】
ネットワークを介して複数のリモート装置毎の動作モードの状態を通知するイベントデータと前記リモート装置毎の所定の監視項目のモニタデータの少なくともいずれか１つを含む監視データを監視してディスプレイに表示する遠隔監視システムの監視制御方法であって、
前記サーバは、入力手段と、記憶手段と、表示制御手段とを備え、
前記記憶手段は、前記ネットワークを介して前記各リモート装置から受信する前記イベントデータと前記モニタデータとを記憶し、
前記入力手段は、前記リモート装置毎に実行モードかまたは休止モードかの監視モードの設定と前記監視データの表示条件を設定するコマンドが入力され、前記入力されたコマンドを前記表示制御手段に出力し、
前記入力手段から前記コマンドが入力された前記表示制御手段は、
前記監視モードが前記実行モードに設定された前記リモート装置については、所定の手順で前記記憶された前記イベントデータと前記モニタデータとを前記記憶手段から読み出して前記ディスプレイに表示すると共に、前記イベントデータを受信するか、または前記モニタデータに異常を検出した時にはアラームを通知し、
前記休止モードに設定された前記リモート装置については、当該リモート装置から前記イベントデータを受信したか、または前記モニタデータに異常を検出した場合はアラームを通知し、前記アラームの通知時の最初に受信した前記イベントデータと前記モニタデータのみを前記ディスプレイに表示し、それ以降の前記イベントデータと前記モニタデータを前記記憶手段から読み出し更新して前記ディスプレイに表示することとアラームを通知することとを休止する
ことを特徴とする遠隔監視システムの監視制御方法。
【請求項１４】
前記表示手段は、前記入力手段から特定の前記リモート装置に前記監視モードを準休止モードに設定するコマンドが入力された場合、当該リモート装置から前記イベントデータを受信するか、または前記モニタデータに異常を検出した時にはアラームを通知し、アラーム通知時に受信した前記イベントデータと前記モニタデータを前記ディスプレイに表示し、それ以降は、前記イベントデータを前記記憶手段から読み出し更新して前記ディスプレイに表示することとアラームを通知することとを休止する
ことを特徴とする請求項１３記載の遠隔監視システムの監視制御方法。
【請求項１５】
前記表示制御手段は、
前記リモート装置の前記監視モードが前記休止モードに設定された場合、内蔵するタイマを参照して所定の時間が経過すると自動的に当該リモート装置の監視モードを前記実行モードに復帰させることを特徴とする請求項１３記載の遠隔監視システムの監視制御方法。
【請求項１６】
前記リモート装置の前記動作モードは、
前記イベントデータとして送信される自装置が動作中のオペレーションモードと、調整や準備に係わる非動作中のスタンバイモードとを含み、
前記リモート装置は、自装置が備える入力手段から自装置を前記スタンバイモードから前記オペレーションモードに設定する入力が行われた場合、オペレーションモードであるイベントデータを送信するのに先だってスタンバイ解除のイベントデータを送信し、前記サーバの前記表示制御手段は、
前記リモート装置が前記休止モードに設定された場合、前記記憶手段から読み出して監視している当該リモート装置から受信する前記イベントデータが前記スタンバイ解除であることを判読すると前記実行モードに復帰させることを特徴とする請求項１３記載の遠隔監視システムの監視制御方法。
【請求項１７】
前記リモート装置は、自装置が備える入力手段から自装置を前記スタンバイモードから前記オペレーションモードに設定する入力が行われた場合、イベントデータとしてスタンバイ解除を前記サーバに送信し、
前記サーバから前記スタンバイ解除の情報を受信したことを通知する応答を受信してからオペレーションモードに復帰し、イベントデータとしてオペレーションモードを前記サーバに送信することを特徴とする請求項１３記載の遠隔監視システムの監視制御方法。
【請求項１８】
前記表示制御手段は、
前記イベントデータと前記モニタデータとのそれぞれが前記リモート装置毎に対応して並べられたテーブルの形式で表示されるイベント画面とモニタデータ画面とにして前記ディスプレイに表示する事を特徴とする請求項１３または１４に記載の遠隔監視システムの監視制御方法。
【請求項１９】
前記イベント画面と前記モニタデータ画面との２つの画面が同一画面に並べられたデュアルモードで前記ディスプレイに表示されることを特徴とする請求項１８記載の遠隔監視システムの監視制御方法。
【請求項２０】
前記イベント画面のみが表示されるイベントモードと、前記モニタデータ画面のみが前記ディスプレイに表示されるモニタデータモードと、前記イベントモードと前記デュアルモードとが切り替えられて前記ディスプレイに表示されることを特徴とする請求項１８記載の遠隔監視システムの監視制御方法。
【請求項２１】
前記休止モードに設定された前記リモート装置の番号が前記表示されるテーブルの周辺に記載されることを特徴とする請求項１８〜２０のいずれか１項記載の遠隔監視システムの監視制御方法。
【請求項２２】
前記リモート装置の前記動作モードは、
自装置が動作中のオペレーションモードと、調整や準備に係わる非動作中のスタンバイモードとを含み、
前記リモート装置が備える入力手段から前記一方の動作モードから他方の動作モードに設定を変更する入力がされた時、前記前記他方の動作モードを前記イベントデータとして前記サーバに送信し、
前記イベントデータを受信した前記サーバの前記表示制御手段は、
前記オペレーションモードであることを受信した場合、前記リモート装置の番号を第１の色表示にし、
前記スタンバイモードであることを受信した場合、第２の色表示にすることを特徴とする請求項２１記載の遠隔監視システムの監視制御方法。
【請求項２３】
前記リモート装置の前記動作モードは、
自装置が動作中のオペレーションモードと、調整や準備に係わる非動作中のスタンバイモードとを含み、前記第１の入力手段から前記一方の動作モードから他方の動作モードに設定された時、設定された状態を前記イベントデータとして前記サーバに送信し、
前記イベントデータを受信した前記サーバの前記表示制御手段は、
前記オペレーションモードであることを受信した場合、前記テーブルの当該リモート装置に対応する行または列を第１の色表示にし、前記スタンバイモードであることを受信した場合、第２の色表示にすることを特徴とする請求項２１に記載の遠隔監視システムの監視制御方法。
【請求項２４】
前記サーバの表示手段は、
前記リモート装置が前記休止モード、または前記準休止モードに設定された場合、前記テーブルの当該リモート装置に対応する行または列を第３の色表示にすることを特徴とする請求項２１に記載の遠隔監視システムの監視制御方法。
【請求項２５】
ネットワークを介して複数のリモート装置毎の動作モードの状態を通知するイベントデータと前記リモート装置毎の所定の監視項目のモニタデータの少なくともいずれか１つを含む監視データを監視してディスプレイにする遠隔監視システムの監視サーバであって、
前記サーバは、
前記各リモート装置毎に監視モードを設定するコマンドと前記監視データの表示条件を設定するコマンドを入力する入力手段と、
前記ネットワークを介して前記各リモート装置から受信する前記イベントデータと前記モニタデータとを記憶する記憶手段と、
前記監視モードが前記実行モードに設定された前記リモート装置については、所定の手順で前記記憶された前記イベントデータと前記モニタデータとを前記記憶手段から読み出して前記ディスプレイに表示すると共に、前記イベントデータを受信するか、または前記モニタデータに異常を検出した時にはアラームを通知し、
前記監視モードが休止モードに設定された前記リモート装置については、当該リモート装置から前記イベントデータを受信したか、または前記モニタデータに異常を検出した場合はアラームを通知し、前記アラームの通知時の最初に受信した前記イベントデータと前記モニタデータのみを前記ディスプレイに表示し、それ以降の前記イベントデータと前記モニタデータを前記記憶手段から読み出し更新して前記ディスプレイに表示することとアラームを通知することとを休止する表示制御手段とを備える
ことを特徴とする遠隔監視システムの監視サーバ。
【請求項２６】
前記表示手段は、前記監視モードが準休止モードに設定されたリモート装置について、当該リモート装置から前記イベントデータを受信するか、または前記モニタデータに異常を検出した時にはアラームを通知し、アラーム通知時に受信した前記イベントデータと前記モニタデータを前記ディスプレイに表示し、それ以降は、前記イベントデータを前記記憶手段から読み出し更新して前記ディスプレイに表示することとアラームを通知することとを休止する
ことを特徴とする請求項２５記載の遠隔監視システムの監視サーバ。
【請求項２７】
前記表示制御手段は、
前記リモート装置の前記監視モードが前記休止モードに設定された場合、内蔵するタイマを参照して所定の時間が経過すると自動的に当該リモート装置の監視モードを前記実行モードに復帰させることを特徴とする請求項２５または２６記載の遠隔監視システムの監視サーバ。
【請求項２８】
前記表示制御手段は、
前記イベントデータと前記モニタデータとのそれぞれが前記リモート装置毎に対応して並べられたテーブルの形式で前記ディスプレイに表示されるイベント画面とモニタデータ画面を構成し、
前記イベント画面のみが前記ディスプレイに表示されるイベントモードと、前記モニタデータ画面のみが前記ディスプレイに表示されるモニタデータモードと、前記イベント画面と前記モニタデータ画面との２つの画面が同一画面に並べられたデュアルモードのいずれか１つを前記入力手段からの設定に従って前記ディスプレイに表示することを特徴とする請求項２６記載の遠隔監視システムの監視サーバ。
【請求項２９】
前記休止モードに設定された前記リモート装置の番号が前記表示されるテーブルの周辺に記載されることを特徴とする請求項２８記載の遠隔監視システムの監視サーバ。
【請求項３０】
前記リモート装置の前記動作モードは、
自装置が動作中のオペレーションモードと、調整や準備に係わる非動作中のスタンバイモードとを含み、
前記リモート装置が備える入力手段から前記一方の動作モードから他方の動作モードに設定を変更する入力がされた時、前記前記他方の動作モードを前記イベントデータとして前記サーバに送信し、
前記イベントデータを受信した前記サーバの前記表示制御手段は、
前記オペレーションモードであることを受信した場合、前記リモート装置の番号を第１の色表示にし、
前記スタンバイモードであることを受信した場合、第２の色表示にすることを特徴とする請求項２９記載の遠隔監視システムの監視サーバ。
【請求項３１】
前記リモート装置の前記動作モードは、
自装置が動作中のオペレーションモードと、調整や準備に係わる非動作中のスタンバイモードとを含み、前記第１の入力手段から前記一方の動作モードから他方の動作モードに設定された時、設定された状態を前記イベントデータとして前記サーバに送信し、
前記イベントデータを受信した前記サーバの前記表示制御手段は、
前記オペレーションモードであることを受信した場合、前記テーブルの当該リモート装置に対応する行または列を第１の色表示にし、前記スタンバイモードであることを受信した場合、第２の色表示にすることを特徴とする請求項２９に記載の遠隔監視システムの監視サーバ。
【請求項３２】
前記表示手段は、
前記リモート装置が前記休止モード、または前記準休止モードに設定された場合、前記テーブルの当該リモート装置に対応する行または列を第３の色表示にすることを特徴とする請求項２９に記載の遠隔監視システムの監視サーバ。
【発明の詳細な説明】
【技術分野】
【０００１】
本発明は、ネットワークを介して機器の遠隔監視を行う遠隔監視システム、監視サーバおよび監視制御方法に関する。
【背景技術】
【０００２】
遠方にあるリモート装置と監視センターにあるサーバとの間をネットワークで接続してリモート装置の状態監視を行う遠隔監視システムでは、リモート装置の数が増えてくると、サーバ側では、保守作業や取付工事など運用が中断されたリモート装置の状態表示が度々増えると他のリモート装置の状態表示の支障になる。
【０００３】
リモート装置では、電源ＯＮ／ＯＦＦに対応した生存情報や、運用中の動作モードの変化、モニタデータの変動等に伴うイベントデータや異常を通知する警報がサーバ側に送信され、サーバのモニタ画面へ異常であればアラームと共に表示される。
【０００４】
特に設置工事や調整工事においては、電源のＯＮ／ＯＦＦが繰り返されることが多く、サーバ側では、必要ないにも拘わらずイベントデータを受信して頻繁に表示することになる。
【０００５】
サーバでは、オペレータの認識や障害管理を容易にするために、管理ドメイン毎や障害内容に応じて表示を色分けする等の方法がとられることもある。（例えば、特許文献１。）。
【０００６】
また、工事中のリモート装置については、サーバ側でデータを表示しないようにするため、リモート装置側でスタンバイモードを設けてスタンバイモードのフラグを受信した場合にはイベントデータをサーバで表示しない様にしている。しかし、この方法であっても電源をＯＮ／ＯＦＦする毎に電源ＯＮ／ＯＦＦのイベントデータがスタンバイモードを通知する前にサーバに送信されるのでサーバ画面には不要なイベントデータが表示されてしまう問題があった。
【特許文献１】特開２００１−３１２３４２号公報  （第２３頁、第１０図）
【発明の開示】
【発明が解決しようとする課題】
【０００７】
従来、遠隔監視装置では、工事中における不要なイベントデータやアラームがサーバで表示されるか、不要な表示を防ぐスタンバイモードを設けてイベントやモニタデータの表示を制御する方法が取られているが調整等に伴う電源ＯＮ／ＯＦＦ直後のイベント表示は除外できず都度頻繁に表示されてしまう問題があった。
【０００８】
本発明は上記問題を解決するためになされたもので、リモート装置が工事中であっても不要なイベントデータが表示されることなく、また、必要に応じてモニタデータが表示出来る遠隔監視システム、遠隔監視サーバおよび監視制御方法を提供することを目的とする。
【課題を解決するための手段】
【０００９】
上記目的を達成するために、本発明の遠隔監視システムは、サーバがネットワークを介して複数のリモート装置毎の動作モードの状態を通知するイベントデータと前記リモート装置毎の所定の監視項目のモニタデータの少なくともいずれか１つを含む監視データを監視してディスプレイに表示する遠隔監視システムであって、前記サーバは、前記リモート装置毎に監視モードを設定するコマンドと前記監視データの表示条件を設定するコマンドを入力する入力手段と、前記ネットワークを介して前記各リモート装置から受信する前記イベントデータと前記モニタデータとを記憶する記憶手段と、前記監視モードが実行モードに設定された前記リモート装置については、所定の手順で前記記憶された前記イベントデータと前記モニタデータとを前記記憶手段から読み出して前記ディスプレイに表示すると共に、前記イベントデータを受信するか、または前記モニタデータに異常を検出した時にはアラームを通知し、前記監視モードが休止モードに設定された前記リモート装置については、当該リモート装置から前記イベントデータを受信したか、または前記モニタデータに異常を検出した場合はアラームを通知し、当該アラームの通知時の最初に受信した前記イベントデータと前記モニタデータのみを前記ディスプレイに表示し、それ以降の前記イベントデータと前記モニタデータを前記記憶手段から読み出し更新して前記ディスプレイに表示することを休止することと、アラームを通知することとを休止する表示制御手段とを備えることを特徴とする。
【００１０】
また、本発明の遠隔監視システムの監視制御方法は、ネットワークを介して複数のリモート装置毎の動作モードの状態を通知するイベントデータと前記リモート装置毎の所定の監視項目のモニタデータの少なくともいずれか１つを含む監視データを監視してディスプレイに表示する遠隔監視システムの監視制御方法であって、前記サーバは、入力手段と、記憶手段と、表示制御手段とを備え、前記記憶手段は、前記ネットワークを介して前記各リモート装置から受信する前記イベントデータと前記モニタデータとを記憶し、前記入力手段は、前記リモート装置毎に実行モードかまたは休止モードかの監視モードの設定と前記監視データの表示条件を設定するコマンドが入力され、前記入力されたコマンドを前記表示制御手段に出力し、前記入力手段から前記コマンドが入力された前記表示制御手段は、前記監視モードが前記実行モードに設定された前記リモート装置については、所定の手順で前記記憶された前記イベントデータと前記モニタデータとを前記記憶手段から読み出して前記ディスプレイに表示すると共に、前記イベントデータを受信するか、または前記モニタデータに異常を検出した時にはアラームを通知し、前記休止モードに設定された前記リモート装置については、当該リモート装置から前記イベントデータを受信したか、または前記モニタデータに異常を検出した場合はアラームを通知し、前記アラームの通知時の最初に受信した前記イベントデータと前記モニタデータのみを前記ディスプレイに表示し、それ以降の前記イベントデータと前記モニタデータを前記記憶手段から読み出し更新して前記ディスプレイに表示することとアラームを通知することとを休止することを特徴とする。
【００１１】
更にまた、本発明の遠隔監視システムの監視サーバは、ネットワークを介して複数のリモート装置毎の動作モードの状態を通知するイベントデータと前記リモート装置毎の所定の監視項目のモニタデータの少なくともいずれか１つを含む監視データを監視してディスプレイにする遠隔監視システムの監視サーバであって、前記サーバは、前記各リモート装置毎に監視モードを設定するコマンドと前記監視データの表示条件を設定するコマンドを入力する入力手段と、前記ネットワークを介して前記各リモート装置から受信する前記イベントデータと前記モニタデータとを記憶する記憶手段と、前記監視モードが前記実行モードに設定された前記リモート装置については、所定の手順で前記記憶された前記イベントデータと前記モニタデータとを前記記憶手段から読み出して前記ディスプレイに表示すると共に、前記イベントデータを受信するか、または前記モニタデータに異常を検出した時にはアラームを通知し、前記監視モードが休止モードに設定された前記リモート装置については、当該リモート装置から前記イベントデータを受信したか、または前記モニタデータに異常を検出した場合はアラームを通知し、前記アラームの通知時の最初に受信した前記イベントデータと前記モニタデータのみを前記ディスプレイに表示し、それ以降の前記イベントデータと前記モニタデータを前記記憶手段から読み出し更新して前記ディスプレイに表示することとアラームを通知することとを休止する表示制御手段とを備えることを特徴とする。
【発明の効果】
【００１２】
本発明によれば、リモート装置が工事中であっても不要なイベントデータが表示されることなく、また、必要に応じてモニタデータが表示出来る遠隔監視システム、遠隔監視サーバおよび監視制御方法を提供することが出来る。
【発明を実施するための最良の形態】
【００１３】
以下、図面を参照して本発明の実施例を説明する。
【実施例】
【００１４】
図１は、本発明の実施例に係る遠隔監視システムの構成系統図である。
【００１５】
図１において遠隔監視システムは、サーバ１、リモート装置２（＃１〜＃Ｎ）と、ネットワーク３とを備えている。サーバ１は、各リモート装置２（＃１〜＃Ｎ）からネットワーク３を介してするモニタデータやイベントデータなどを収集する。
【００１６】
図２、図３は、サーバ１、リモート装置２の機能構成を説明するブロック図である。  
図２において、サーバ１は、それぞれが内部バス等で接続される通信Ｉ／Ｆ１１、ＣＰＵ１２、メモリ部１３、キーボード、マウス等からなる入力部１４、ディスプレイ１５を備える。
【００１７】
通信Ｉ／Ｆ１１は、ネットワーク３を介してリモート装置２から送信されるイベントデータ、動作パラメータであるモニタデータ等の監視データ（以下、断らない限り、監視データは、イベントデータと、モニタデータのいずれか１つもしくはその両方を指す総称である。）を受信する。
【００１８】
ＣＰＵ１２は、通信ＩＦ１１を介して受信する監視データをテーブルにしてメモリ部１３へ書き込み記憶する。監視データは、リモート装置２へ予め定められた手順に従って送信されたポーリングや、入力部１４からのコマンドに対応するリモート装置２からのレスポンスとして送信するものと、リモート装置２が電源投入時や異常発生時に自律的にイベントデータやモニタデータとして送信するものがある。ＣＰＵ１２は、これらの監視データのヘッダ情報や、データを判読することによりテーブル上の所定の欄へ各種のデータを書き込む。
【００１９】
また、ＣＰＵ１２は、入力部１４から入力される監視モードの設定に従って、監視データをメモリ部１３から読み出してディスプレイ１５に表示する制御を行う。
【００２０】
図３においてリモート装置２は、それぞれが内部バス等で接続される通信Ｉ／Ｆ２１、ＭＩＢ（Ｍａｎａｇｅｍｅｎｔ  Ｉｎｆｏｒｍａｔｉｏｎ  Ｂａｓｅ）部２２、入出力部２４、および機能部２３を備える。
【００２１】
機能部２３は、例えば、無線送受信機や、情報処理装置などの特定機能を実行する機能回路、装置等である。
【００２２】
ＭＩＢ部２２は機能部２３の各部の動作状態を監視してイベントデータやモニタデータを収集し、通信ＩＦ２１とネットワーク３を介してサーバ１との間で送受信する管理を行う。例えば、自装置が「オペレーションモード」か「スタンバイモード」のいずれかになった（設定された）場合、その状態をイベントデータとして、自律的にサーバ１へ送信する制御を行う。一方、予め設定された機能部２３のテストポイントのモニタ電圧等の動作パラメータは、サーバ１からのポーリング、またはコマンドを受信した時に対応するレスポンスとしてモニタデータをサーバ１へ送信する制御を行う。
【００２３】
入出力部２４は、ダイヤルやスイッチ、ランプ、または、シリアルインタフェースで接続されたパーソナルコンピュータ等である。そしてＭＩＢ部２２に対してリモート装置２の「オペレーションモード」か「スタンバイモード」の動作モードを入力設定したり、その動作モードをランプやパーソナルコンピュータのディスプレイ等で表示するなどＭＩＢ部２３が入出力するデータや設定条件を確認する入出力手段である。
【００２４】
図４は、本発明の実施例における遠隔監視システムでリモート装置に障害が発生した場合のサーバとリモート装置の動作手順を説明するフローチャートである。  
図４に左側は、サーバ１の動作フロー右側はリモート装置２の動作フローを示す。  
以下図２、図３のブロック図、および図４のフローチャートを参照して遠隔監視システムの動作手順を説明する。
【００２５】
図４において、サーバ１は、監視するリモート装置２（＃１〜＃Ｎ）について監視モードを「実行モード」か「休止モード」にするかの登録と、登録された各リモート装置２についてモニタデータ項目の設定とを入力部１４により初期設定する（ステップｓ１）。監視表示モードでは「実行モード」がデフォルトである。
【００２６】
「実行モード」に設定されたリモート装置２に対しては、サーバ１が受信する各イベントデータとモニタデータとをディスプレイ１５に表示し、モニタデータやイベントデータに装置の異常を示す警報に相当する監視データを受信した場合、アラームがディスプレイ１５に表示され、また必要に応じて、サーバ１の図示されないブザーやランプ等の表示手段により操作員へ通知される。
【００２７】
一方「休止モード」に設定されたリモート装置２に対しては、イベントデータは受信されても更新して表示されなくなり、また、警報を受信した場合でもディスプレイ１５にアラームは表示されない。
【００２８】
さて、リモート装置２（＃１、＃２、＃３）がネットワーク３に接続され、３台いずれもが、サーバ１では監視モードが「実行モード」として登録、設定されたとする。そして、リモート装置２（＃１、＃２、＃３）は、操作員により入力部２４から動作モードが「オペレーション」に入力設定されて（ステップｓ２）とネットワーク３に接続され、電源が投入されたとする。リモート装置２（＃１、＃２、＃３）では、それぞれのＭＩＢ部２２が、各機能部２３の自己点検を行うと共に、動作モードが「オペレーション」であることを検出してそのモニタデータとイベントデータとして動作モードが「オペレーション」であることを通知する監視データを順次サーバに送信する（ステップｓ３）。
【００２９】
図５は、監視データのフォーマットの１例であり、アドレスフィールド５１、モードフィールド５２、データフィールド５３とから構成される。
【００３０】
モードフィールド５２は、自装置が「オペレーション」モードか、「スタンバイモード」であるかのモードを示すフラグが記述される。
【００３１】
データフィールド５３は、送信されるデータがイベントデータか、モニタデータであるかの区別を示すフラグ、例えば、イベントデータには「００」とモニタデータには、「１１」に続いて、所定のデータフォーマットでモニタデータが記述される。なお、監視データがイベントデータだけを送信する場合、モードフラグ５２のみ送信し、データフレーム５３は使用しないようにしても良い。
【００３２】
例えば、リモート装置２（＃１）が“スタンバイモード”になったことをサーバ１へ通知する場合には、アドレスフィールド５１には送信元のアドレスとして「００１」、モードフィールド５２にはイベントデータを示す「００」、データフレーム５３には「ＳＴＢＹ」が記述される。また、受信レベルのモニタ信号（例えば、―３０ｄＢｍ）を送信するモニタデータでは、例えば、アドレスフィールド５１には送信元のアドレスとして「００１」、モードフィールド５２にはモニタデータを示す「１１」、データフレーム５３には、モニタデータの項目とそのデータ「ＲＬＥＶ：−３０」が記述される。
【００３３】
サーバ１のＣＰＵ１２は、ネットワーク３と通信Ｉ／Ｆ１１を介して各リモート装置２から受信する監視データの各フィールドを判読し、各リモート装置２（ここでは、＃１〜＃３とする。）のテーブルに整理してメモリ部１３に書き込み記憶する（ステップｓ４）。監視モードが初期設定された「実行モード」である場合（ステップｓ５がＹｅｓ）。そして、監視データを再びメモリ部１３から読み出してディスプレイ１５に表示する（ステップｓ６）。この表示はイベントデータ、モニタデータそれぞれがイベント画面Ｖ、モニタデータ画面Ｍに編集される。
【００３４】
図６は、サーバ１のディスプレイに表示されるイベントデータの表示例である。  
イベント画面Ｖは、アラーム欄、時刻欄、イベント欄、リモート装置２の番号欄から構成される。  
図６（ａ）は、各リモート装置２が電源投入され、動作を開始した直後の表示例で、例えば、リモート装置２の「＃１」は、時刻「０９：１０：２０」に電源投入されて「オペレーションモード」、即ち、動作を開始したこと、および、イベントが発生した、即ち、リモート装置２の状態に変化が起きたことを示すためアラームが表示されることを示している。
【００３５】
なお、この「オペレーションモード」に入ったことを通知するアラームは、正常な動作になった事を示すものなので、サーバ１のオペレータが入力部１４からリセットコマンドを入力することによりリセットされる。また、ＣＰＵ１２が内蔵するタイマで表示後一定時間後にリセットされるようにしても良く、もしくは「オペレーションモード」の様な正常動作になったことを示すイベントに対してはアラームを表示しないものであっても良い。
【００３６】
図７は、サーバのディスプレイに表示されるモニタデータ画面Ｍの表示画面例である。モニタデータ画面Ｍはアラーム欄、時刻欄、モニタデータ欄、リモート装置２の番号欄から構成される。
【００３７】
図７（ａ）も、同様に各リモート装置２が運用中の表示例であるが時刻欄は、ポーリング等により最新のモニタデータを受信した時刻「０９：３０：００」が表示されている。また、時刻表示は省略されることもある。
【００３８】
モニタデータ欄は、別途入力部１４から入力されたコマンドで表示するデータ項目が指定された場合は、そのデータ項目が表示され、指定が無い場合は、最新のイベントデータが表示される。また、アラームが発生した場合にはそのアラームの項目、もしくはそのデータが表示される。ここでは、各リモート装置２へは、表示するデータ項目の指定がなく全リモート装置２は正常に動作を続けているので全て、「オペレーションモード」であることが表示される。
【００３９】
そして、各リモート装置２が運用中に異常が無い間は（ステップｓ３−１がＹｅｓ）、ポーリング等に応答してモニタデータを送信する（ステップｓ３−２）。その後、リモート装置２（＃３）で受信レベルの異常が検出されたとする（ステップｓ３−１がＮｏ）。リモート装置２（＃３）は、受信レベル以上発生のイベントデータとそのアラームおよび、受信レベルのモニタデータをサーバ１へネットワーク３を介して送信する（ステップｓ７）。
【００４０】
「実行モード」にあるサーバ１が受信した監視データがアラームの監視データであった場合は、イベント表示と、モニタデータ表示は、ステップｓ６によって更新されている。
【００４１】
図６（ｂ）、図７（ｂ）はアラーム発生後のイベント表示とモニタデータの表示例である。図６（ｂ）には、リモート装置２（＃１、＃２）が、正常動作を続けているのでイベントに変化はなく、図６（ａ）と同じ状態が続いている。リモート装置２（＃３）では時刻欄にアラームが発生した「１４：１０：３０」、イベント欄に「受信不良」が表示されている。図７（ｂ）には、リモート装置２（＃３）で時刻欄にアラームが発生した「１４：１０：３０」、モニタデータ欄には、受信レベルが低いことを示す「ＲＬＥＶ：Ｌ」が表示されている。なお、リモート装置２（＃１、＃２）は、このアラーム発生時刻の前の時刻「１４：１０：００」にポーリングで受信したモニタデータが最新のデータとして表示されているが、以前のデータと変わりは無い。
【００４２】
サーバ１のオペレータは、このアラームの通知を受けて、リモート装置２（＃３）の復旧の指示を保守作業の操作員へ通知する。またオペレータによって、入力部２４からリモート装置２（＃３）に対する監視モードを「休止モード」にするコマンド、例えば、「Ｒ３」が入力された（ステップｓ９）場合、サーバ１は監視モードを「休止モード」へ変更（ステップｓ１０）し、続いて監視データを受信し監視データをメモリに書き込む動作を継続する（ステップｓ４）。
【００４３】
リモート装置２（＃３）は、オペレータから通知を受けた保守作業の操作員により、入力部２４から「スタンバイモード」になるコマンドが入力され（ステップｓ１１）「スタンバイモード」になると自装置が「スタンバイ」のイベントデータをサーバ１へネットワーク３を介して送信する（ステップｓ１２）。
【００４４】
サーバ１のＣＰＵ１２は、リモート装置２（＃３）から「スタンバイ」のイベントデータを受信する（ステップｓ４）が、「休止モード」になっている（ステップｓ５がＮｏ）ので最初に「スタンバイ」を受信した場合のみ（ステップｓ１３がＹｅｓ）、アラームの報知とイベント表示を更新（ステップｓ１４）してイベント画面Ｖに「スタンバイモード」を表示する。
【００４５】
以上の手順により、サーバ１のＣＰＵ１２は、各リモート装置２に対する監視モードが“休止モード”に変更された場合（ステップｓ５がＮｏ）最初に当該リモート装置のアラーム報知とイベント表示の更新をするのみで以降は、アラームの表示を中止するとともに、イベント表示やモニタデータの表示の更新が中止される。
【００４６】
図６（ｃ）、図７（ｃ）は“休止モード”に設定後、「スタンバイ」を受信した後のイベント画面Ｖとモニタデータ画面Ｍの表示例である。図６（ｃ）には、リモート装置２（＃３）で時刻「１４：３０：００」に「スタンバイモード」となったことが表示されている。図７（ｃ）には、リモート装置２（＃１、＃２）では時刻欄へ「１４：４５：００」モニタデータ欄は、正常動作が継続しているので「オペレーションモード」が表示されている。
【００４７】
一方、リモート装置２（＃３）については時刻欄へ“スタンバイモード”になった「１４：３０：００」、モニタデータ欄は、「ＲＬＥＶ：Ｌ」がそのまま表示される。
【００４８】
なお、モニタデータは、“スタンバイモード”であってもサーバ１の入力部１４からのコマンド、もしくは、所定のポーリング周期によりリモート装置２（＃３）からサーバ１へ送信され、サーバ１のＣＰＵ１２は“休止モード”であっても受信する監視データをメモリ部１３へ書き込み記憶する。
【００４９】
そして、“スタンバイモード”中のモニタデータは、オペレータにより入力部１４から例えば、「ＱＲＳＴ＃３」の様な「準休止モード」のモード設定のコマンドが入力された場合、リモート装置２（＃３）は、別途規定される表示コマンド、または、ポーリング周期に従ってＣＰＵ１２の制御に従ってメモリ部１３から読み出されディスプレイ１５に更新表示される「準休止モード」を設定できるようにしても良い。その場合、アラームは、表示されず、例えば、リモート装置２（＃１３）では時刻欄へ「１４：４５：００」、モニタデータ欄へ、「ＲＬＥＶ：−３０ｄＢｍ」の様に最新のモニタデータが表示される。
【００５０】
この“休止モード”中では、ディスプレイの画面はリモート装置２（（＃３）が電源ＯＮ／ＯＦＦ）を繰り返したり、機器調整を行いその結果、アラームのデータや、（電源ＯＮ／ＯＦＦ）等のイベントデータが繰り返しサーバ１へ送信されても、これらの監視データは、後の故障解析や、正常に復帰した際に備えてメモリ部１３に記憶されるのみである。そしてアラームも通知されることが抑えられているので、オペレータが不要に煩わされることが回避出来る。
【００５１】
また、上記の手順は動作中に障害が発生した場合について説明したが、予め保守作業等によりリモート装置２の監視を中止する場合は、サーバの監視モードの初期設定が「休止モード」、およびリモート装置２は、「スタンバイモード」にされるので、図４のフローチャートが同様に適用できる。従って、保守作業に付いての動作手順の詳細は、前記説明から容易に推定できるので説明を省略する。
【００５２】
次に、リモート装置２が復旧した後のサーバ１の動作手順について説明する。
【００５３】
図８は、本発明の実施例における遠隔監視システムでリモート装置の障害が復旧した場合のサーバとリモート装置の動作手順を説明するフローチャートである。  
図８に左側は、サーバ１の動作フロー右側はリモート装置２の動作フローを示す。  
リモート装置２（＃３）の修復、もしくは、交換作業が終了すると、リモート装置２（＃３）は、操作員により、入力部２４から動作モードが「スタンバイモード」から「オペレーションモード」に変更する入力が行われる（ステップｓ１７）。そしてリモート装置２（＃３）から「オペレーション」のイベントデータがサーバ１へ送信される（ステップｓ１８）。サーバ１は、受信する監視データをメモリに書き込み記憶する（ステップｓ４、以下の説明ではこのステップについての記述は省略する）。
【００５４】
また、操作員から電話等の手段により作業終了の通知を受けたサーバ１のオペレータにより、入力部１４からリモート装置２（＃３）に対する監視モードを「休止モード」から「実行モード」へ復帰するコマンド、例えば、「Ａ３」が入力される（ステップｓ１９）。このコマンドが入力されるとＣＰＵ１２は、メモリ部１３から最新のリモート装置２（＃３）のイベントデータを読み出してイベントデータの表示を更新する（ステップｓ２０）。
【００５５】
図６（ｄ）は、正常に復帰した時点のイベントデータが表示されたディスプレイ画面であり、リモート装置２（＃３）が「オペレーションモード」であること、およびその復帰した時刻「１５：００：００」が表示されている。
【００５６】
また、サーバ１の監視モードを「休止モード」から「実行モード」へ復帰させる方法として、別の方法が幾つかある。
【００５７】
図９〜図１２は、監視モードの第２〜第５の復帰方法の動作手順を説明するフローチャートである。  
第２の方法は、「休止モード」に切り替わった後、内部タイマを参照して所定の時間が経過後「実行モード」へ自動的に復帰する方法である。  
図９のフローチャートに示される如くＣＰＵ２は、内蔵するタイマを参照して「休止モード」へ切り替えてから１定の時間、例えば、２時間経過した場合（図９のステップｓ９１）に自動的に「実行モード」へ復帰させる「自動切替」制御する（ステップｓ９２）ものであっても良い。第２の方法ではもし、復旧作業が終了していない場合に「実行モード」へ復帰してもモニタデータが受信できない等により異常が検出されるのでアラームがサーバ１のＣＰＵ１２で生成され、オペレータに報知されることから再度「休止モード」へ切り替えるコマンド「Ｒ３」がオペレータにより入力される。第２の方法では、オペレータの「実行モード」への復帰操作忘れを防ぐことが出来るメリットがある。
【００５８】
第３の方法は、リモート装置２から動作モードの変更情報をサーバ１へ送信して、サーバ１が変更情報を受信して「実行モード」へ自動復帰するものである。  
図１０のフローチャートに示される如く、操作員から動作モードの「オペレーションモード」変更コマンドが入力後（図１０のステップｓ１７）、「スタンバイ解除」のイベントデータをサーバ１へ送信し（図１０のステップｓ１０１）、続けて「オペレーションモード」へ復帰し、（図１０のステップｓ１０２）、「オペレーション」のイベントデータを送信する（図１０のステップｓ１０３）。
【００５９】
サーバ１は、この「スタンバイ解除」のイベントデータを受信する（図１０のステップｓ１０４）と、入力部１４から入力される監視モードを「実行モード」へ復帰させる（図１０のステップｓ１０５）。
【００６０】
第３の方法では、復帰忘れを防ぐと共に、オペレータが監視モードを「実行モード」に変更するコマンドを入力する負担を解消することが出来るメリットがある。
【００６１】
第４の方法は、第３の方法をさらに発展させ、リモート装置２がサーバ１の監視モードの変更を確認してから動作モードを切り替える方法である。  
図１１に示す第４の方法では、サーバ１が、「スタンバイ解除」を受信すると、「実行モード」へ復帰してから「スタンバイ解除応答」をリモート装置２（＃３）へ送信する（図１１のステップｓ１１６）。（この「スタンバイ解除応答」の送信順序は、「スタンバイ解除」を受信して直ぐに送信しても良い。）
リモート装置２（＃３）は、「スタンバイ解除」を送信すると、内蔵タイマを参照して「スタンバイ解除応答」を受信するまで所定の間隔で「スタンバイ解除」を繰り返し送信する（図１１のステップｓ１１７がＮｏ）。そして、「スタンバイ解除」を受信後（図１１のステップｓ１１７がＹｅｓ）、「オペレーションモード」へ切り替わる（図１１のステップｓ１０２）。
【００６２】
第５の方法は、更に第２と第４の方法を組み合わせたものである。  
図１２に示す第５の方法では、この場合、サーバ１では、「スタンバイ解除」を受信して、「実行モード」に自動的に切り替わった後、オペレータが、入力部１４から「スタンバイ解除応答」を入力して（図１１のステップｓ１２１）、その入力された応答によりリモート装置２（＃３）が復帰し、入出力部２４にオペレーションモードであることをアンプ等で表示するようにすれば、リモート装置２側でも、その応答を受信することによりサーバ１が自装置に対して通常の動作監視を行っていることが判読出来る効果がある。
【００６３】
次に、イベントデータとモニタ情報の表示モードについて説明する。以上の説明では、本実施例に係わる遠隔監視システムのサーバ１のディスプレイ１５は、監視データとしてイベントデータと、モニタデータの２つをそれぞれ表形式で表示している。この２種類の表はディスプレイ１５上ではオペレータが見易いものが選択表示されるようになっている。
【００６４】
図１３〜図１５は、ディスプレイ１５の各種の表示モードを示す図である。  
図１３は、イベント画面Ｖとモニタデータ画面Ｍの画面種別による表示モードを説明する図である。
【００６５】
図１３（ａ）は、イベント画面ＶとモニタデータＭとの２つを同時に１画面上に表示するデュアルモード、図１３（ｂ）はイベント画面Ｖのみを表示するイベントモード、図１３（ｃ）は、モニタデータ画面Ｍのみを表示するモニタデータモードを示している。これらの画面表示モードの選択は、操作員による入出力部１４から選択コマンドが入力されるとＣＰＵ１２は、その選択に応じてディスプレイ１５に表示される画面のモードを切り替える。
【００６６】
図１３（ａ）〜図１３（ｃ）では、「休止モード」に設定された間、オペレータは保守作業中のリモート装置２に不要に煩わされることが無く、またサーバの処理負荷が無益に増えることを防ぐことが出来る。しかし、監視対象となるリモート端末２が多い場合、または多くのイベントが発生するような場合、監視モードが“休止モード”に設定された例えば、リモート端末２（＃３）についてのイベントデータは、他のイベントデータに埋もれて見つけ出すのが困難になる。従ってリモート端末２（＃３）が“休止モード”となっているのか、もしくは“スタンバイモード”なのかが捜しにくくなるか、また判別が見分けにくくなる場合もある。
【００６７】
図１４は、リモート装置２に対するサーバ１の監視モードを番号で表示する例である。
【００６８】
そこで、図１４の様に、休止モードに設定されたリモート装置２の番号を、例えば「＃２」の様に表の周辺に表示するようにしても良い。図１４は、デュアルモードの表示において番号を表示しているが、他のモードの場合でも同様に表示される。
【００６９】
そうすることにより、イベントデータが数多く表示され、リモート装置２（＃２）の監視モードがどちらになっているのか調べるために表示されている表をスクロールしないと分からないような場合でも、スクロールせずにリモート装置の番号、「＃２」の表示の有無だけで休止モードか否かを判断することが出来る。
【００７０】
また、本発明の実施例では、休止モードであってもサーバ１は監視データを受信してメモリ部１３に記憶しているので、休止モードに設定されたリモート装置２（＃２）のモニタデータがアラームに該当する異常な場合は、この「＃２」の文字表示色を例えば、「赤」にすることで異常が継続しているかどうかを調べるコマンドを入力することなく判読することも可能である。
【００７１】
同様に、休止モードに設定されたリモート装置２の動作モードを例えば、「オペレーションモード」では「白」、「スタンバイモード」では「緑」の様に色分けして「＃２」を表示するようにしても良い。その結果、サーバ１のオペレータが「白」の「＃２」となったのをディスプレイ１５から判読することによりリモート装置２（＃２）が正常動作に復帰したと判定して、その監視モードを「休止モード」から「実行モード」へ切り替え出来る様にすることもできる。
【００７２】
図１５は、リモート装置２に対するサーバ１の監視モードを表示色で示す例である。
【００７３】
図１４の様に休止モードに設定されたリモート装置２の「＃２」の様な番号を表示する代わりに、図１５の例の様にそのリモート装置２の番号欄か、そのリモート装置２についての表示行を例えば、「黄」で表示するようにして判別を容易にしても良い。そして更に、図１４の場合と同様に、アラーム情報や、リモート装置２の動作モードを例えば「白」や「緑」等の色で示すようにしても良い。
【００７４】
この様に番号と色の組合せにより、ディスプレイ１５の画面を頻雑にすることなくオペレータがリモート装置２の監視モードと動作モードやアラームに対する情報を取得することが出来る。
【００７５】
以上説明した如く、本発明の遠隔監視システムでは、サーバにおけるリモート装置の監視モードを「実行モード」と「休止モード」のいずれかに設定して、休止モードに設定されたリモート装置のイベントデータの表示更新を行わない様にすることにより不要な表示を防ぎ、必要なモニタデータが表示出来る。
【図面の簡単な説明】
【００７６】
【図１】本発明の実施例に係る遠隔監視システムの構成系統図。
【図２】サーバの機能構成を説明するブロック図。
【図３】リモート装置の機能構成を説明するブロック図。
【図４】本発明の実施例における遠隔監視システムのリモート装置に異常が発生時のサーバとリモート装置の動作手順を説明するフローチャート。
【図５】監視データのフォーマットの１例。
【図６】サーバのディスプレイに表示されるイベントデータの表示例。
【図７】サーバのディスプレイに表示されるモニタデータの表示画面例。
【図８】本発明の実施例における遠隔監視システムのリモート装置の復旧時におけるサーバとリモート装置の動作手順を説明するフローチャート。
【図９】監視モードの第２の復帰方法の動作手順を説明するフローチャート。
【図１０】監視モードの第３の復帰方法の動作手順を説明するフローチャート。
【図１１】監視モードの第４の復帰方法の動作手順を説明するフローチャート。
【図１２】監視モードの第５の復帰方法の動作手順を説明するフローチャート。
【図１３】ディスプレイに表示される監視データの各種の表示モードを示す図。
【図１４】リモート装置に対するサーバの監視モードを番号で表示する例を示す図。
【図１５】リモート装置に対するサーバの監視モードを表示色で示す例を示す図。
【符号の説明】
【００７７】
１  サーバ
１１  通信Ｉ／Ｆ
１２  ＣＰＵ
１３  メモリ部
１４  入力部
１５  ディスプレイ
２  リモート装置
２１  通信Ｉ／Ｆ
２２  ＭＩＢ（Ｍａｎａｇｅｍｅｎｔ  Ｉｎｆｏｒｍａｔｉｏｎ  Ｂａｓｅ）部
２３  機能部
２４  入出力部
３  ネットワーク
【図１】
2006313449.tif 000003
【図２】
2006313449.tif 000004
【図３】
2006313449.tif 000005
【図４】
2006313449.tif 000006
【図５】
2006313449.tif 000007
【図６】
2006313449.tif 000008
【図７】
2006313449.tif 000009
【図８】
2006313449.tif 000010
【図９】
2006313449.tif 000011
【図１０】
2006313449.tif 000012
【図１１】
2006313449.tif 000013
【図１２】
2006313449.tif 000014
【図１３】
2006313449.tif 000015
【図１４】
2006313449.tif 000016
【図１５】
2006313449.tif 000017